(57)【要約】【課題】  中型の交換作業に費やす時間を抑えることができる成型装置、及び成型装置の中型交換方法を提供することを課題とする。【解決手段】  固定側フレームと、固定側フレームに接離する可動側フレームと、第一中型を有する固定側ユニットを固定側フレームに着脱可能とする固定側ロック構造と、第一中型と協働してキャビティを形成する第二中型を有する可動側ユニットを可動側フレームに着脱可能とする可動側ロック構造とを備え、第一中型と第二中型とを組み合せて固定側ユニットと可動側ユニットとを一つの組品とした状態で、固定側ロック構造での固定側ユニットと固定側フレームの固定及び固定解除と、可動側ロック構造での可動側ユニットと可動側フレームとの固定及び固定解除を可能とした成型装置及び該成型装置の中型交換方法。【選択図】図２
2018086756.tif 000002
【特許請求の範囲】
【請求項１】
固定側フレームと、
該固定側フレームに対して接離可能な可動側フレームと、
第一中型を有する固定側ユニットを、前記固定側フレームに対して着脱可能とする固定側ロック構造と、
前記第一中型に組み合わされてキャビティを形成する第二中型を有した可動側ユニットを、前記可動側フレームに対して着脱可能とする可動側ロック構造とを備え、
前記第一中型及び前記第二中型を組み合せた状態とした前記固定側ユニットと前記可動側ユニットとを一つの組品とした状態で、前記固定側ロック構造が前記固定側ユニット及び前記固定側フレームを固定した状態と前記固定側ユニット及び前記固定側フレームの固定を解除した状態とに切替可能であり、且つ前記可動側ロック構造が前記可動側ユニット及び前記可動側フレームを固定した状態と前記可動側ユニット及び前記可動側フレームの固定を解除した状態とに切替可能であることを特徴とする成型装置。
【請求項２】
前記固定側ロック構造は、前記固定側フレームと前記固定側ユニットとを固定した状態と、前記固定側フレームと前記固定側ユニットとの固定を解除した状態とに切り替えるための固定側操作部を有し、
前記可動側ロック構造は、前記可動側フレームと前記可動側ユニットとを固定した状態と、前記可動側フレームと前記可動側ユニットとの固定を解除した状態とに切り替えるための可動側操作部を有し、
前記固定側操作部及び前記可動側操作部は、前記固定側フレームと前記可動側フレームとが接離する方向における前記固定側ユニットと前記可動側ユニットとの間の領域から外れた位置に配置される請求項１に記載の成型装置。
【請求項３】
請求項１又は請求項２に記載の成型装置の中型交換方法であって、第一中型を有する固定側ユニットが固定側フレームに固定され、第二中型を有する可動側ユニットが可動側フレームに固定された状態で、前記第一中型に対して前記第二中型が組み合わされるように前記固定側フレームに対して前記可動側フレームを移動させる工程と、
前記第一中型及び前記第二中型を組み合せて前記固定側ユニット及び前記可動側ユニットを組品とした状態で、該組品を前記固定側フレームと前記可動側フレームとから取外す工程と、
前記第一中型とは異なる種類の交換用第一中型を有する交換用固定側ユニット、及び前記第二中型とは異なる種類の交換用第二中型を備えた交換用可動側ユニットどうしを、前記交換用第一中型及び前記交換用第二中型を組み合せた状態として交換用組品を準備する工程と、
前記交換用組品を前記固定側フレームに取り付けて、固定側ロック構造により前記固定側ユニットを前記固定側フレームに固定し、前記交換用組品を前記可動側フレームに取り付けて、可動側ロック構造により前記可動側ユニットを前記可動側フレームに固定する工程と、
を備える成型装置の中型交換方法。
【発明の詳細な説明】
【技術分野】
【０００１】
本発明は、例えば発泡成形に用いられる成形装置、及び成形装置の中型交換方法に関する。
【背景技術】
【０００２】
この種の成形装置が、特許文献１に提案されている。特許文献１の成形装置では、互いに組み合わされる一対の中型を交換することで、異なる発泡成形品を製造するようにしている。
【０００３】
特許文献１の成形装置において、中型の交換作業は、次のように行われている。すなわち、
（１）固定盤に取付けられた固定側フレームに対し、可動盤に取付けられた可動側フレームを接近させ、固定側フレーム及び可動側フレームを合わせて、中型どうしを組み合せる。
（２）固定側フレーム及び可動側フレームを、固定盤及び可動盤から取り外す。
（３）固定側フレーム及び可動側フレームに、取り外し前とは異なる種類の中型をそれぞれ取付け、中型どうしを組み合せるよう、固定側フレーム及び可動側フレームを合わせる。
（４）固定側フレーム及び可動側フレームを、固定盤及び可動盤に取付ける。
【先行技術文献】
【特許文献】
【０００４】
【特許文献１】特開平１０−６２８号公報
【発明の概要】
【発明が解決しようとする課題】
【０００５】
上記のように、この種の成形装置の中型の交換作業では、固定盤及び可動盤に対する固定側フレーム及び可動側フレームの着脱作業を含むため、多くの労力を必要とし、作業時間が嵩むという点が指摘されている。
【０００６】
そこで、本発明は、かかる実情に鑑み、中型の交換作業に費やす時間を抑えることができる成型装置、及び成型装置の中型交換方法を提供することを課題とする。
【課題を解決するための手段】
【０００７】
本発明の成型装置は、
固定側フレームと、
該固定側フレームに対して接離可能な可動側フレームと、
第一中型を有する固定側ユニットを、前記固定側フレームに対して着脱可能とする固定側ロック構造と、
前記第一中型に組み合わされてキャビティを形成する第二中型を有した可動側ユニットを、前記可動側フレームに対して着脱可能とする可動側ロック構造とを備え、
前記第一中型及び前記第二中型を組み合せた状態とした前記固定側ユニットと前記可動側ユニットとを一つの組品とした状態で、前記固定側ロック構造が前記固定側ユニット及び前記固定側フレームを固定した状態と前記固定側ユニット及び前記固定側フレームの固定を解除した状態とに切替可能であり、且つ前記可動側ロック構造が前記可動側ユニット及び前記可動側フレームを固定した状態と前記可動側ユニット及び前記可動側フレームの固定を解除した状態とに切替可能であることを特徴とする。
【０００８】
本発明の成形装置において、第一中型及び第二中型を別の種類の第一中型及び第二中型に交換する場合、固定側ロック構造によって固定側ユニットが固定側フレームに固定され、可動側ロック構造によって可動側ユニットが可動側フレームに固定された状態において、第一中型と第二中型とが組み合わされるように固定側フレームに対して可動側フレームを移動させる。
【０００９】
そして、固定側ロック構造による固定側フレームと固定側ユニットとの固定を解除して組品を固定側フレームから取り外す作業と、可動側ロック構造による可動側フレームと可動側ユニットとの固定を解除して組品を可動側フレームから取り外す作業とを行うことによって、組品を固定側フレーム及び可動側フレームから取り外す。
【００１０】
続いて、別の種類の第一中型及び第二中型を備えた固定側ユニット及び可動側ユニットを組品とし、該組品を固定側フレームに取り付けた状態で固定側ロック構造により固定側ユニットを固定側フレームに固定する作業と、該組品を可動側フレームに取り付けた状態で可動側ロック構造により可動側ユニットを可動側フレームに固定する作業とを行うことによって、別の種類の第一中型を備えた固定側ユニットが固定側フレームに取り付けられ、別の種類の第二中型を備えた可動側ユニットが可動側フレームに取り付けられる。
【００１１】
このように、前記成形装置は、固定側ユニットと可動側ユニットとを一つの組品とした状態で、固定側ロック構造が固定側ユニットと固定側フレームとを固定した状態と固定側ユニットと固定側フレームとの固定を解除した状態に切替可能とし、且つ可動側ロック構造が可動側ユニットと可動側フレームとを固定した状態と可動側ユニットと可動側フレームとの固定を解除した状態に切替可能とすることで、固定側フレーム及び可動側フレームに対して固定側ユニット及び可動側ユニットを交換できるようになっている。
【００１２】
本発明の成型装置において、
前記固定側ロック構造は、前記固定側フレームと前記固定側ユニットとを固定した状態と、前記固定側フレームと前記固定側ユニットとの固定を解除した状態とに切り替えるための固定側操作部を有し、
前記可動側ロック構造は、前記可動側フレームと前記可動側ユニットとを固定した状態と、前記可動側フレームと前記可動側ユニットとの固定を解除した状態とに切り替えるための可動側操作部を有し、
前記固定側操作部及び前記可動側操作部は、前記固定側フレームと前記可動側フレームとが接離する方向における前記固定側ユニットと前記可動側ユニットとの間の領域から外れた位置に配置されていてもよい。
【００１３】
かかる構成によれば、固定側ユニットと可動側ユニットとを組品とした状態においても、固定側操作部を操作して固定側フレームと固定側ユニットとの固定及び固定の解除を行うことができ、また、可動側操作部を操作して可動側フレームと可動側ユニットとの固定及び固定の解除を行うことができる。
【００１４】
従って、第一中型と第二中型とを組み合わせたまま、固定側フレームに対する固定側ユニットの着脱と、可動側フレームに対する可動側ユニットの着脱を行うことができる。
【００１５】
本発明の成型装置の中型交換方法は、
上記何れかの成型装置の中型交換方法であって、
第一中型を有する固定側ユニットが固定側フレームに固定され、第二中型を有する可動側ユニットが可動側フレームに固定された状態で、前記第一中型に対して前記第二中型が組み合わされるように前記固定側フレームに対して前記可動側フレームを移動させる工程と、
前記第一中型及び前記第二中型を組み合せて前記固定側ユニット及び前記可動側ユニットを組品とした状態で、該組品を前記固定側フレームと前記可動側フレームとから取外す工程と、
前記第一中型とは異なる種類の交換用第一中型を有する交換用固定側ユニット、及び前記第二中型とは異なる種類の交換用第二中型を備えた交換用可動側ユニットどうしを、前記交換用第一中型及び前記交換用第二中型を組み合せた状態として交換用組品を準備する工程と、
前記交換用組品を前記固定側フレームに取り付けて、固定側ロック構造により前記固定側ユニットを前記固定側フレームに固定し、前記交換用組品を前記可動側フレームに取り付けて、可動側ロック構造により前記可動側ユニットを前記可動側フレームに固定する工程と、
を備える中型交換方法。
【００１６】
かかる構成によれば、固定側フレーム及び可動側フレームから既設の固定側ユニット及び可動側ユニットを取り外す作業と、固定側フレーム及び可動側フレームに別の固定側ユニット及び可動側ユニットを取り付ける作業とを行うだけで、固定側ユニット及び可動側ユニットを交換できる。
【発明の効果】
【００１７】
以上のように、本発明の成型装置及び成型装置の中型交換方法は、中型の交換作業に要する時間を抑えることができるという優れた効果を奏し得る。
【図面の簡単な説明】
【００１８】
【図１】図１は、本発明の一実施形態に係る成型装置の斜視図である。
【図２】図２は、同実施形態に係る成型装置の分解斜視図である。
【図３】図３は、同実施形態に係る成型装置の固定側フレームの分解斜視図である。
【図４】図４は、同実施形態に係る成型装置の固定側ユニットの分解斜視図である。
【図５】図５は、同実施形態に係る成型装置の断面拡大図であって、図１におけるＶ−Ｖ線の断面拡大図である。
【図６】図６は、同実施形態に係る成型装置の断面拡大図であって、図１におけるＶＩ−ＶＩ線の断面拡大図である。
【図７】図７は、同実施形態に係る成型装置の可動側フレームの分解斜視図である。
【図８】図８は、同実施形態に係る成型装置の可動側ユニットの分解斜視図である。
【図９】図９は、同実施形態に係る成型装置の中型交換方法の説明図であって、（ａ）は、抜止部材を取り外している状態の説明図であり、（ｂ）は、固定側ユニットと可動側ユニットとを連結している状態の説明図であり、（ｃ）は、固定側ユニットと可動側ユニットとを可動側フレームから取り外している状態の説明図である。
【図１０】図１０は、同実施形態に係る成型装置の中型交換方法の説明図であって、（ａ）は、固定側ユニットと可動側ユニットとを組み合わせて連結している状態の説明図であり、（ｂ）は、固定側ユニットと可動側ユニットとを可動側フレームに取り付けている状態の説明図である。
【図１１】図１１は、同実施形態に係る成型装置の中型交換方法の説明図であって、（ａ）は、固定側ユニットと可動側ユニットとの連結を解除している状態の説明図であり、（ｂ）は、抜止部材を取り付けている状態の説明図である。
【発明を実施するための形態】
【００１９】
以下、本発明の一実施形態に係る成型装置について、添付図面を参照しつつ説明を行う。なお、本実施形態では、成型装置と、該成型装置を開閉するための型締装置とを備える成型機について説明を行うこととする。また、本実施形態では、型締装置が所定の位置に固定される固定盤と、該固定盤に接離可能に構成される可動盤とを備えることを前提に以下の説明を行うこととする。
【００２０】
成型装置は、図１に示すように、固定盤に取り付けられる固定型２と、可動盤に取り付けられる可動型３とを備えている。すなわち、成型装置１は、所定の位置に固定される固定型２と、該固定型２に対して接離する可動型３とを備えている。なお、本実施形態では、固定型２と可動型３とが接離する方向を接離方向と称し、固定型２及び可動型３の高さに対応する方向を縦方向と称し、固定型２及び可動型３の幅対応する方向を幅方向と称する。
【００２１】
固定型２は、図２に示すように、固定盤に固定される固定側フレーム２０と、第一中型Ｍ１を有し且つ該固定側フレーム２０に着脱可能である固定側ユニット２１と、固定側フレーム２０と固定側ユニット２１とを固定するための固定側ロック構造２２と、成型に用いる蒸気を固定側フレーム２０内に供給する固定側蒸気供給部２３と、固定側ユニット２１の第一中型Ｍ１を冷却するための冷却水を流通させる固定側冷却配管系２４と、可動型３の後述する可動側フレームとの位置決めをするための固定側位置決部２５とを有する。
【００２２】
固定側フレーム２０は、図３に示すように、枠状の固定側フレーム本体２００と、該固定側フレーム本体２００と固定盤とに挟み込まれるシールプレート２０１とを有する。
【００２３】
固定側フレーム本体２００は、角環状であり、可動型３に対向する前面と、該前面とは反対側の背面とを有する。
【００２４】
本実施形態に係る固定側フレーム本体２００は、前記幅方向で互いに対向する一対の側壁部２０２と、該一対の側壁部２０２のそれぞれに連続するとともに前記縦方向で対向する一対の接続壁部２０３とを有する。
【００２５】
シールプレート２０１は、固定側フレーム本体２００に対応して角環状に形成されている。また、シールプレート２０１は、固定側フレーム本体２００の背面に固定されている。そのため、シールプレート２０１は、全周に亘って固定側フレーム本体２００の背面に密接するように構成されている。なお、シールプレート２０１と固定側フレーム本体２００との間には、該シールプレート２０１と固定側フレーム本体２００との間の隙間を塞ぐためのシール部材が配置されている。
【００２６】
シールプレート２０１は、側壁部２０２の全長に亘って密接する一対の縦板部２０１ａと、該一対の縦板部２０１ａのそれぞれに連続し且つ接続壁部２０３の全長に亘って密接する一対の横板部２０１ｂとを有する。シールプレート２０１は、一対の縦板部２０１ａと一対の横板部２０１ｂとが互いに連続することによって角環状となっている。
【００２７】
固定側ユニット２１は、固定側フレーム本体２００内に収容可能に構成されている。本実施形態に係る固定側ユニット２１は、図４に示すように、第一中型Ｍ１が取り付けられる固定側インサイドプレート２１０と、固定側インサイドプレート２１０と間隔をあけて対向するように配置される固定側バックプレート２１１と、固定側インサイドプレート２１０と固定側バックプレート２１１とを連結する連結部材２１２と、第一中型Ｍ１と固定側バックプレート２１１とに当接するように設置される補強部材２１３と、固定側インサイドプレート２１０と固定側バックプレート２１１との間に設置される筒状のガイドパイプ２１４と、固定側フレーム本体２００に対して固定側インサイドプレート２１０を抜止するための抜止部材２１５とを有する。
【００２８】
固定側インサイドプレート２１０は、固定側バックプレート２１１に対向する内面と、可動型３に対向する外面とを有する。また、固定側インサイドプレート２１０の内面の外周縁部は、全周に亘って固定側フレーム本体２００に密接している。なお、本実施形態に係る固定側インサイドプレート２１０は、四つの第一中型Ｍ１が取り付けられるように構成されており、第一中型Ｍ１としてキャビ型が取り付けられている。
【００２９】
固定側バックプレート２１１は、固定側インサイドプレート２１０に対向する内面と、該内面とは反対側の外面とを有する。固定側バックプレート２１１の外面の外周縁部は、全周に亘ってシールプレート２０１に密接している。
【００３０】
連結部材２１２は、厚みを有する平板状の部材で構成されている。そして、連結部材２１２は、固定側インサイドプレート２１０の内面に当接する一端と、固定側バックプレート２１１の内面に当接する他端とを有する。また、連結部材２１２の一端は、固定側インサイドプレート２１０に固定され、連結部材２１２の他端は、固定側バックプレート２１１に固定されている。
【００３１】
本実施形態では、複数の連結部材２１２が固定側バックプレート２１１の外周縁部と固定側インサイドプレート２１０の外周縁部との間に配置されている。
【００３２】
なお、本実施形態に係る複数の連結部材２１２には、固定側バックプレート２１１と固定側インサイドプレート２１０とを連結するように構成された第一連結部材２１２ａと、固定側バックプレート２１１と固定側インサイドプレート２１０とを連結するように構成されたうえで、さらに、内側への傾倒（すなわち、固定側インサイドプレート２１０の中央部側への傾倒や、固定側バックプレート２１１の中央部側への傾倒）が防止されるように補強された第二連結部材２１２ｂとが含まれている。
【００３３】
第二連結部材２１２ｂは、固定側ユニット２１の前記幅方向における内側に延出するとともに、固定側バックプレート２１１に当接するように形成された補強リブ２１２ｃを有する。そのため、第二連結部材２１２ｂは、補強リブ２１２ｃによって前記幅方向における内側（固定側インサイドプレート２１０と固定側バックプレート２１１との間の領域の内側）への傾倒が防止されるように構成されている。
【００３４】
補強部材２１３は、第一中型Ｍ１の外面（固定側フレーム２０内に露出している面）に固定されており、該第一中型Ｍ１の外面から固定側バックプレート２１１に向かって真っ直ぐに延びるようにして設けられている。そのため、補強部は、成型時に第一中型Ｍ１の内面が圧力を受けたときに、該第一中型Ｍ１を固定側バックプレート２１１に対して支持するように構成されている。なお、図４には、便宜上一つの補強部材２１３しか図示していないが、各第一中型Ｍ１のそれぞれには、個別の補強部材２１３が設けられている
【００３５】
ガイドパイプ２１４は、筒状であり、軸線方向における一端側の開口が固定側バックプレート２１１の外面で開放し、軸線方向における他端側の開口が固定側インサイドプレート２１０の外面で開放するように構成されている。ガイドパイプ２１４の内部には、長尺なボルトであるセットボルトＳＢが挿通可能である。
【００３６】
本実施形態では、固定側バックプレート２１１の外縁部と固定側インサイドプレート２１０の外縁部との間に複数のガイドパイプ２１４が設置されている。より具体的には、固定側バックプレート２１１の四隅と固定側インサイドプレート２１０の四隅との間のそれぞれにガイドパイプ２１４が配置されている。
【００３７】
固定側ロック構造２２は、図５に示すように、固定側フレーム２０に取り付けられるロック操作部２２０と、固定側ユニット２１に取り付けられ、該ロック操作部２２０により固定側フレーム２０内に固定可能な被ロック部２２１とを有する。
【００３８】
ロック操作部２２０は、固定側フレーム２０の側壁部２０２に取り付けられている。本実施形態に係るロック操作部２２０は、軸状のロックピン２２０ａと、該ロックピン２２０ａを固定側フレーム２０内に対して進退可能に保持するホルダー２２０ｂと、ロックピン２２０ａを固定側フレーム２０内に対して進退させるための進退操作部２２０ｃとを有する。
【００３９】
ロックピン２２０ａは、軸状のピン本体部２２０ａａと、該ピン本体部２２０ａａの軸線方向における一端に連続する頭部２２０ａｂとを有する。
【００４０】
ロックピン２２０ａは、軸線方向における他端がホルダー２２０ｂから固定側フレーム２０内に突出するようにしてホルダー２２０ｂに保持されている。そのため、ロックピン２２０ａは、固定側フレーム２０内に対する進退に伴い、ピン本体部２２０ａａの他端の位置（固定側フレーム２０内でのピン本体部２２０ａａの他端の位置）が変化するように構成されている。
【００４１】
また、ピン本体部２２０ａａの軸線方向における他端部（先端部）は、テーパー状（先細り）に形成されている。頭部２２０ａｂは、ピン本体部２２０ａａよりも外径が大きくなるように形成されている。
【００４２】
なお、本実施形態に係るロック操作部２２０では、ロックピン２２０ａがホルダー２２０ｂ内で固定側フレーム２０内から退く方向に向けて付勢されるように構成されている。
【００４３】
ホルダー２２０ｂは、側壁部２０２の内面と外面とに亘って貫設されるガイドブッシュ２２０ｂａであって、固定側フレーム２０の内外に連通する進退孔Ｈが形成されるガイドブッシュ２２０ｂａと、該固定側フレーム２０の外部でガイドブッシュ２２０ｂａの進退孔Ｈを覆うカバー部２２０ｂｂとを有する。
【００４４】
ガイドブッシュ２２０ｂａは、側壁部２０２の内面と外面とに亘って貫通する孔（以下、取付孔２０２ａという）内に挿し込まれている。本実施形態に係るガイドブッシュ２２０ｂａは、ロックピン２２０ａの進退動作をガイドするガイド筒部２２０ｂｃと、該ガイド筒部２２０ｂｃに連続し且つガイド筒部２２０ｂｃよりも外径が大きくなるように構成されたフランジ部２２０ｂｄとを有する。
【００４５】
ガイド筒部２２０ｂｃは、取付孔２０２ａに挿し込まれており、軸線方向における一端が固定側フレーム２０の内部に突出するように配置されている。
【００４６】
フランジ部２２０ｂｄは、ガイド筒部２２０ｂｃの軸線方向における他端に連設されており、側壁部２０２の外面上に固定されている。
【００４７】
カバー部２２０ｂｂには、ガイドブッシュ２２０ｂａの進退孔Ｈに連通するねじ孔である調節孔Ｓが形成されている。
【００４８】
進退操作部２２０ｃは、固定側フレーム２０と固定側ユニット２１とを固定した状態と、固定側フレーム２０と固定側ユニット２１との固定を解除した状態とに切り替えるための固定側操作部である。進退操作部２２０ｃは、カバー部２２０ｂｂの調節孔Ｓに螺号される押込ボルト２２０ｃａと、該押込ボルト２２０ｃａの頭部とカバー部２２０ｂｂとの間に配置されるライナー２２０ｃｂとを有する。
【００４９】
押込ボルト２２０ｃａの先端部は、ガイドブッシュ２２０ｂａの進退孔Ｈ内に突出するとともに、ロックピン２２０ａの頭部２２０ａｂに当接している。
【００５０】
ライナー２２０ｃｂには、長孔Ｌが形成されており、該長孔Ｌには押込ボルト２２０ｃａが挿通されている。そのため、押込ボルト２２０ｃａがカバー部２２０ｂｂの調節孔Ｓに締め込まれると、該押込ボルト２２０ｃａに対するライナー２２０ｃｂの動きが規制され、押込ボルト２２０ｃａのカバー部２２０ｂｂへの締め込みを緩めると、該押込ボルト２２０ｃａに対するライナー２２０ｃｂの動きが許容される。
【００５１】
本実施形態に係るライナー２２０ｃｂには、薄肉部２２０ｃｃと、該薄肉部２２０ｃｃよりも厚みが大きい厚肉部２２０ｃｄとを有する。上述のように、ライナー２２０ｃｂは、押込ボルト２２０ｃａが緩められると該押込ボルト２２０ｃａ（及び側壁部２０２）に対する動きが許容された状態となり、薄肉部２２０ｃｃを押込ボルト２２０ｃａの頭部と側壁部２０２の外面との間に配置した状態と、厚肉部２２０ｃｄを押込ボルト２２０ｃａの頭部と側壁部２０２の外面との間に配置した状態とに切替可能となる。
【００５２】
そして、ライナー２２０ｃｂの厚肉部２２０ｃｄを押込ボルト２２０ｃａの頭部と側壁部２０２の外面との間に配置した状態においては、ガイドブッシュ２２０ｂａの進退孔Ｈへの押込ボルト２２０ｃａ（ピン本体部２２０ａａの先端部）の突出量が小さくなるため、固定側フレーム本体２００内へのピン本体部２２０ａａの先端部の突出量も小さくなる。
【００５３】
その一方、ライナー２２０ｃｂの薄肉部２２０ｃｃを押込ボルト２２０ｃａの頭部と側壁部２０２の外面との間に配置した状態においては、ガイドブッシュ２２０ｂａの進退孔Ｈへのピン本体部２２０ａａの先端部の突出量が大きくなるため、固定側フレーム本体２００内へのピン本体部２２０ａａの先端部の突出量も大きくなる。
【００５４】
被ロック部２２１は、第二連結部材２１２ｂに取り付けられており、ピン本体部２２０ａａの先端部が突き当てられる突当凹部２２１ａが形成されている。また、突当凹部２２１ａは、ピン本体部２２０ａａの先端部の形状に対応してテーパー状に形成されている。
【００５５】
より具体的に説明すると、突当凹部２２１ａは、ピン本体部２２０ａａの先端部と固定側バックプレート２１１との間に配置されており、ピン本体部２２０ａａの先端部を固定側バックプレート２１１側で受け止めるように構成されている。
【００５６】
これにより、本実施形態では、ピン本体部２２０ａａの先端部の固定側フレーム本体２００への突出量が増加するとともに、ピン本体部２２０ａａの先端部によって被ロック部２２１が固定側バックプレート２１１側に強く押し付けられるため、固定側フレーム２０内での固定側ユニット２１の位置ずれが防止されるように構成されている。
【００５７】
固定側蒸気供給部２３は、図１に示すように、一対の接続壁部２０３のうちの上方に配置される接続壁部２０３の一部で構成されており、接続壁部２０３の内外に亘って貫通する導入孔２３０が形成されている。なお、固定側蒸気供給部２３から固定側フレーム２０内に蒸気を供給する場合は、例えば、蒸気を流通させる管路を固定側蒸気供給部２３に接続し、導入孔２３０を通じて固定側フレーム２０内に蒸気が供給されるようにしてもよい。なお、本実施形態では、接続壁部２０３に対して複数の固定側蒸気供給部２３が設けられている。
【００５８】
固定側冷却配管系２４は、図６に示すように、固定側フレーム２０に取り付けられる固定側給水部２４０と、該固定側給水部２４０に対して流体的に接続され且つ固定側ユニット２１に取り付けられる固定側配水部２４１とを有する。
【００５９】
固定側給水部２４０は、固定側フレーム２０の外面に固定される固定側用フランジ部２４０ａと、該固定側用フランジ部２４０ａ及び接続壁部２０３に貫設された給水管２４０ｂとを有する。給水管２４０ｂは、筒状であり、一方の開口端が固定側用フランジ部２４０ａ内に配置される一方で、他方の開口端２４０ｃが接続壁部２０３よりも内側に突出している。
【００６０】
さらに、本実施形態に係る給水管２４０ｂの他方の開口端２４０ｃは、傾斜するように形成されている。具体的には、給水管２４０ｂの他方の開口端２４０ｃは、シールプレート２０１側になるにつれて下方に向かうように傾斜した形状となっている。
【００６１】
固定側配水部２４１は、固定側バックプレート２１１と固定側インサイドプレート２１０との間に配置される配水管路部２４１ａと、該配水管路部２４１ａと給水管２４０ｂとを接続するためのジョイント部２４１ｂとを有する。なお、固定側配水部２４１は、固定側ユニット２１の第一中型Ｍ１の種類に合わせて固定側バックプレート２１１と固定側インサイドプレート２１０との間に予め組み込まれている。
【００６２】
配水管路部２４１ａには、複数のノズルが取り付けられており、各ノズルが第一中型Ｍ１に向けて（固定側インサイドプレート２１０側に向けて）冷却水を噴射するように構成されている。
【００６３】
ジョイント部２４１ｂは、固定側ユニット２１が固定側フレーム２０内に収容されたときに、固定側給水部２４０と対応する位置に設置されている。また、ジョイント部２４１ｂには、固定側バックプレート２１１側になるにつれて下方に向かうように傾斜する傾斜面２４１ｃが形成されている。そのため、固定側冷却配管系２４は、固定側ユニット２１が固定側フレーム２０内に収容されると、給水管２４０ｂの他方の開口端２４０ｃと、ジョイント部２４１ｂの傾斜面２４１ｃとが互いに当接（密接）するように構成されている。
【００６４】
固定側位置決部２５は、図１に示すように、側壁部２０２の外面から突出するように形成されており、後述する可動側フレーム３０に向かって開口する挿込凹部２５０が形成されている。
【００６５】
可動型３は、図２に示すように、可動盤に固定される可動側フレーム３０と、第二中型Ｍ２を有し且つ該可動側フレーム３０に着脱可能である可動側ユニット３１と、可動側フレーム３０と可動側ユニット３１とを固定可能な可動側ロック構造３２と、第一中型Ｍ１と第二中型Ｍ２とで形成したキャビティ内に供給する蒸気を可動側フレーム３０内に供給するための可動側蒸気供給部３３と（図１参照）、可動側ユニット３１の第二中型Ｍ２を冷却するための冷却水を供給するための可動側冷却配管系３４と（図７参照）、可動側フレーム３０と可動側ユニット３１とを位置決めする位置決構造３５と、固定側フレーム２０に対して位置決めする可動側位置決部３６とを有する。
【００６６】
可動側フレーム３０は、図７に示すように、枠状の可動側フレーム本体３００と、該可動側フレーム本体３００と固定盤とに挟み込まれる可動側バックプレート３０１と、該可動側バックプレート３０１との間に間隔をあけて配置される受板３０２と、可動側バックプレート３０１と受板３０２との間に配置される可動側補強部材３０３とを有する。
【００６７】
可動側フレーム本体３００は、角環状であり、固定型２に対向する前面と、可動側バックプレート３０１に対向する背面とを有する。本実施形態に係る可動側フレーム本体３００は、前記幅方向で並ぶ一対の縦枠部３００ａと、該一対の縦枠部３００ａのそれぞれに連続するとともに前記縦方向で並ぶ一対の横枠部３００ｂとを有する。
【００６８】
可動側バックプレート３０１は、可動盤と可動側フレーム本体３００との間に配置されており、可動盤に当接する外面と可動側フレーム本体３００の背面に当接する内面とを有する。本実施形態に係る可動側バックプレート３０１は、平板状であり、内面の外周縁部全周が可動側フレーム本体３００に密接するように構成されている。なお、可動側バックプレート３０１と可動側フレーム本体３００との間には、該可動側バックプレート３０１と可動側フレーム本体３００との間の隙間を塞ぐためのシール部材が配置されている。
【００６９】
受板３０２は、可動側フレーム本体３００の前面に取り付けられており、可動側フレーム本体３００内に向けて配置される内面と、可動側ユニット３１に対向する外面とを有する。また、受板３０２には、前記縦方向及び前記幅方向に等間隔又は略等間隔で整列するように複数の貫通孔（以下、噴射孔３０２ａという）が形成されている。
【００７０】
可動側補強部材３０３は、前記縦方向に真っ直ぐに延びた形状であり、受板３０２の内面に当接する一端と、可動側バックプレート３０１の内面に当接する他端とを有する。また、本実施形態では、受板３０２と可動側バックプレート３０１との間に複数の可動側補強部材３０３が配置されている。さらに、複数の可動側補強部材３０３のそれぞれは、前記幅方向で互いの間に間隔を空けて並ぶように配置されている。
【００７１】
可動側ユニット３１は、可動側フレーム本体３００の前面に取り付けられるように構成されている。本実施形態に係る可動側ユニット３１は、図８に示すように、第二中型Ｍ２が取り付けられる可動側インサイドプレート３１０と、該可動側インサイドプレート３１０の外周縁部全周に亘って密接するように形成された枠状のアダプタフレーム３１１と、インサイドプレートを補強するための受圧部材３１２と、可動側インサイドプレート３１０に取り付けられた位置決用固定側部３１３とを有する。
【００７２】
可動側インサイドプレート３１０は、可動側フレーム３０側に配置される内面と、該内面とは反対側の外面とを有する。また、可動側インサイドプレート３１０の内面の外周縁部は、全周に亘って可動側フレーム本体３００に密接している。
【００７３】
さらに、可動側インサイドプレート３１０には、ねじ孔である取付孔３１０ａが複数形成されている。本実施形態では、可動側インサイドプレート３１０の前記幅方向における中央部に対して、前記縦方向に沿って並ぶように複数の取付孔３１０ａが形成されており、また、可動側インサイドプレート３１０の前記縦方向における中央部に対して、前記幅方向に沿って並ぶように複数の取付孔３１０ａが形成されている。
【００７４】
なお、本実施形態に係る可動側インサイドプレート３１０には、四つの第二中型Ｍ２が取り付けられるように構成されており、第二中型Ｍ２としてコア型が取り付けられている。
【００７５】
アダプタフレーム３１１は、前記縦方向に沿って延びた形状であり且つ互いに平行である一対の縦辺部３１１ａと該一対の縦辺部３１１ａのそれぞれに連続し且つ前記幅方向で互いに平行である一対の横辺部３１１ｂとを有する。
【００７６】
受圧部材３１２は、柱上（本実施形態では円柱上）に形成されており、軸線方向における一端が受板３０２に固定されている。本実施形態では、受圧部材３１２が取付孔３１０ａに螺合されている。
【００７７】
また、受圧部材３１２は、軸線方向における他端が受板３０２の外面に当接するように構成されている。すなわち、受圧部材３１２は、受板３０２の外面上で可動側インサイドプレート３１０を支えることによって、該可動側インサイドプレート３１０の撓みを抑えるように構成されている。
【００７８】
可動側インサイドプレート３１０と受板３０２との間には、複数の受圧部材３１２が設置されており、受圧部材３１２に取り付ける受圧部材３１２の数や配置は、第二中型Ｍ２の種類に応じて決めればよい。
【００７９】
位置決用固定側部３１３は、可動側インサイドプレート３１０の四隅のそれぞれに設けられており、前記接離方向においてガイドパイプ２１４と対応する位置に配置されている。また、位置決用固定側部３１３には、ガイドパイプ２１４に挿通したセットボルトの先端部を螺合可能なねじ孔（採番しない）が形成されている。
【００８０】
可動側ロック構造３２は、図５に示すように、可動側フレーム３０に取り付けられる連結操作部３２０と、可動側ユニット３１に設けられ、該連結操作部３２０により可動側フレーム３０に固定可能な被連結部３２１とを有する。
【００８１】
連結操作部３２０は、可動側フレーム３０の外周面上に固定されるベース部３２０ａと、該ベース部３２０ａに対して回転可能に取り付けられた回転操作部３２０ｂと、該回転操作部３２０ｂに取り付けられ且つ被連結部３２１を引き留めるように構成される引留部３２０ｃとを有する。
【００８２】
回転操作部３２０ｂは、可動側フレーム３０と可動側ユニット３１とを固定した状態と、可動側フレーム３０と可動側ユニット３１との固定を解除した状態とに切り替えるための可動側操作部である。回転操作部３２０ｂは、ベース部３２０ａから延出するように形成されており、ベース部３２０ａに対する回転により先端部を可動側ユニット３１側に配置した状態と、先端部を可動側ユニット３１側から離れた位置に配置した状態とに切り替え可能である。
【００８３】
引留部３２０ｃは、回転操作部３２０ｂの先端部に取り付けられており、回転操作部３２０ｂの先端部よりも外径が大きくなるように形成されている。
【００８４】
被連結部３２１は、可動側フレーム本体３００に取り付けられており、回転操作部３２０ｂを嵌込可能な嵌込凹部３２１ａが形成されている。なお、嵌込凹部３２１ａは、回転操作部３２０ｂの外径と同等又は略同等の大きさとなるように形成されている。
【００８５】
本実施形態に係る可動側ロック構造３２では、連結操作部３２０が可動側フレーム本体３００の縦枠部３００ａと横枠部３００ｂとに取り付けられている。これに伴い、可動側ロック構造３２では、被連結部３２１がアダプタフレーム３１１の縦辺部３１１ａと横辺部３１１ｂとに取り付けられている。
【００８６】
可動側蒸気供給部３３は、図７に示すように、一対の横枠部３００ｂのうちの上方に配置される横枠部３００ｂの一部で構成されており、横枠部３００ｂの内外に亘って貫通する導入孔３３０が形成されている。なお、可動側蒸気供給部３３から可動側フレーム３０内に蒸気を供給する場合は、例えば、蒸気を流通させる管路を可動側蒸気供給部３３に接続し、導入孔３３０を通じて可動側フレーム３０内に蒸気が供給されるようにしてもよい。なお、本実施形態では、横枠部３００ｂに対して複数の可動側蒸気供給部３３が設けられている。
【００８７】
可動側冷却配管系３４は、可動側フレーム３０に取り付けられる可動側給水部３４０と、該可動側給水部３４０に対して流体的に接続され且つ可動側フレーム３０内に設置される可動側配水部３４１とを有する。
【００８８】
可動側給水部３４０は、横枠部３００ｂに貫設される管状の給水管３４０ａを有する。給水管３４０ａは、横枠部３００ｂに貫設されている。
【００８９】
可動側配水部３４１は、可動側バックプレート３０１と受板３０２との間に配置される配水管路部３４１ａを有する。配水管路部３４１ａには、複数のノズルＮが取り付けられており、各ノズルＮが第二中型Ｍ２に向けて（可動側インサイドプレート３１０側に向けて）冷却水を噴射するように構成されている。各ノズルＮは、受板３０２の噴射孔３０２ａに対応して前記縦方向及び前記幅方向に等間隔又は略等間隔で整列するように並んでいる。
【００９０】
位置決構造３５は、図８に示すように、可動側フレーム本体３００からアダプタフレーム３１１側に突出するように設けられた位置決ブッシング３５０と、アダプタフレーム３１１に形成される位置決凹部３５１であって、位置決ブッシング３５０を嵌込可能な位置決凹部３５１とで構成されている。
【００９１】
位置決ブッシング３５０は、可動側フレーム本体３００とアダプタフレーム３１１とを突き合わせた際に、位置決凹部３５１内に嵌り込むように構成されている。また、位置決ブッシング３５０は、上端が先鋭となるように形成されており、位置決凹部３５１は、位置決ブッシング３５０に対応した形状となっている。
【００９２】
可動側位置決部３６は、図１に示すように、横枠部３００ｂの外面から突出するように設けられており、前記接離方向において固定側位置決部２５と対応する位置に配置されている。また、可動側位置決部３６には、固定側フレーム２０に向けて突出し且つ挿込凹部２５０に挿込可能である位置決ピン３６０が設けられている。
【００９３】
本実施形態に係る成型装置１の説明は、以上の通りである。続いて、成型装置１の中型交換方法の説明を行う。
【００９４】
本実施形態に係る成型装置１の中型交換方法は、第一中型Ｍ１を有する固定側ユニット２１が固定側フレーム２０に固定され、第二中型Ｍ２を有する可動側ユニット３１が可動側フレーム３０に固定された状態で、前記第一中型Ｍ１に対して前記第二中型Ｍ２が組み合わされるように前記固定側フレーム２０に対して前記可動側フレーム３０を移動させる連結工程と、前記第一中型Ｍ１及び前記第二中型Ｍ２を組み合せて前記固定側ユニット２１及び前記可動側ユニット３１を組品４とした状態で、該組品４を前記固定側フレーム２０と前記可動側フレーム３０とから取外す取外工程と、前記第一中型Ｍ１とは異なる種類の交換用第一中型Ｍ１を有する交換用固定側ユニット２１、及び前記第二中型Ｍ２とは異なる種類の交換用第二中型Ｍ２を備えた交換用可動側ユニット３１どうしを、前記交換用第一中型Ｍ１及び前記交換用第二中型Ｍ２を組み合せた状態として交換用組品４を準備する準備工程と、前記交換用組品４を前記固定側フレーム２０に取り付けて、固定側ロック構造２２により前記固定側ユニット２１を前記固定側フレーム２０に固定し、前記交換用組品４を前記可動側フレーム３０に取り付けて、可動側ロック構造３２により前記可動側ユニット３１を前記可動側フレーム３０に固定する組付工程とを備えている。
【００９５】
連結工程では、図９（ａ）に示すように、抜止部材２１５を固定側フレーム２０と固定側インサイドプレート２１０との間から取り外す。そして、型締装置Ｄを型閉じして第一中型Ｍ１と第二中型Ｍ２とを組み合わせた後に、固定側ユニット２１と可動側ユニット３１とを連結して一体化して組品４を構成する。本実施形態では、図９（ｂ）に示すように、セットボルトをガイドパイプ２１４に挿通し、さらに、該セットボルトを位置決用固定側部３１３に螺合させる。なお、図９（ｂ）では、便宜上、固定盤Ｄ１を図示していない。
【００９６】
取外工程では、固定側ロック構造２２による固定側ユニット２１と固定側フレーム２０との固定を解除し、可動盤Ｄ２を固定盤Ｄ１から離間させる。このようにすると、固定側フレーム２０から組品４が取り外される。
【００９７】
そして、可動側ロック構造３２による可動側ユニット３１と可動側フレーム３０との固定を解除した後に、図９（ｃ）に示すように、固定側ユニット２１と可動側ユニット３１とを一体にしたままホイストクレーン等の吊上装置Ｗで吊り上げて、組品４を可動側フレーム３０から固定側ユニット２１と可動側ユニット３１とを取り外す。
【００９８】
準備工程では、型締装置Ｄから取り外した固定側ユニット２１とは別の交換用固定側ユニット２１と、型締装置Ｄから取り外した可動側ユニット３１とは別の交換用可動側ユニット３１とを一体に連結する。より具体的には、図１０（ａ）に示すように、交換用固定側ユニット２１の交換用第一中型Ｍ１と交換用可動側ユニット３１の交換用第二中型Ｍ２とを組み合わせた後に、交換用固定側ユニット２１と交換用可動側ユニット３１とを連結する。
【００９９】
このようにして、図１０（ｂ）に示すように、交換用固定側ユニット２１と交換用可動側ユニット３１とで交換用組品４を構成した後に組付工程を行う。組付工程では、交換用組品４を吊上装置Ｗで吊り上げて可動側フレーム３０に取り付ける。そして、可動側ロック構造３２により可動側ユニット３１と可動側フレーム３０とを固定する。
【０１００】
さらに、可動盤Ｄ２を固定盤Ｄ１に接近させて交換用固定側フレーム２０内に交換用固定側ユニット２１を嵌め込む。このとき、交換用固定側フレーム２０に取り付けられている可動側給水部３４０と交換用固定側ユニット２１に取り付けられている可動側配水部３４１とが流体的に接続される。
【０１０１】
そして、固定側ロック構造２２で交換用固定側ユニット２１と交換用固定側フレーム２０とを固定し、交換用固定側ユニット２１と交換用可動側ユニット３１との連結を解除した後、図１１（ａ）に示すように、交換用固定側ユニット２１及び交換用可動側ユニット３１からセットボルトＳＢを取り外し、可動盤Ｄ２を固定盤Ｄ１から離間させて交換用固定側ユニット２１から交換用可動側ユニット３１を離間させる。
【０１０２】
さらに、図１１（ｂ）に示すように、抜止部材２１５を固定側フレーム２０と固定側インサイドプレート２１０との間に取り付ける。
【０１０３】
このようにして、既設の固定側ユニット２１及び可動側ユニット３１を別の種類の固定側ユニット２１及び可動側ユニット３１に交換することができる。
【０１０４】
以上のように、本実施形態に係る成型装置１、及び成型装置１の中型交換方法によれば、固定側ユニット２１と可動側ユニット３１とを一つの組品４とした状態で、固定側ロック構造２２が固定側ユニット２１及び固定側フレーム２０を固定した状態と固定側ユニット２１及び固定側フレーム２０の固定を解除した状態とに切替可能とし、且つ可動側ロック構造３２が可動側ユニット３１及び可動側フレーム３０を固定した状態と可動側ユニット３１及び可動側フレーム３０の固定を解除した状態とに切替可能とすることで、固定側フレーム２０及び可動側フレーム３０に対して固定側ユニット２１及び可動側ユニット３１を交換できるようになっている。
【０１０５】
従って、固定盤Ｄ１及び可動盤Ｄ２に対する固定側フレーム２０及び可動側フレーム３０の着脱を行うことなく、第一中型Ｍ１を備える固定側ユニット２１及び第二中型Ｍ２を備える可動側ユニット３１を交換することができるため、中型（第一中型Ｍ１及び第二中型Ｍ２）の交換作業に要する時間を抑えることができるという優れた効果を奏し得る。
【０１０６】
また、固定側ロック構造２２の固定側操作部（進退操作部２２０ｃ）と、可動側ロック構造３２の可動側操作部（回転操作部３２０ｂ）とが固定側フレーム２０と可動側フレーム３０とが接離する方向における固定側ユニット２１と可動側ユニット３１との間の領域から外れた位置に配置されているため、固定側ユニット２１と可動側ユニット３１とを組品４とした状態においても、固定側操作部を操作して固定側フレーム２０と固定側ユニット２１との固定及び固定の解除を行うことができ、また、可動側操作部を操作して可動側フレーム３０と可動側ユニット３１との固定及び固定の解除を行うことができる。
【０１０７】
従って、第一中型Ｍ１と第二中型Ｍ２とを組み合わせたまま、固定側フレーム２０に対する固定側ユニット２１の着脱と、可動側フレーム３０に対する可動側ユニット３１の着脱を行うことができる。
【０１０８】
さらに、本実施形態の固定側ロック構造２２では、突当凹部２２１ａがピン本体部２２０ａａの先端部と固定側バックプレート２１１との間に配置されており、さらに、ピン本体部２２０ａａの先端部が固定側バックプレート２１１側で受け止められるように構成されている。
【０１０９】
そのため、固定側ロック構造２２で固定側フレーム２０と、該固定側フレーム２０内に収容された固定側ユニット２１とを固定すると、ピン本体部２２０ａａの先端部によって被ロック部２２１が固定側バックプレート２１１側に強く押し付けられるため、固定側フレーム２０内での固定側ユニット２１の位置ずれが防止される。
【０１１０】
また、可動側ロック構造３２では、位置決ブッシング３５０の上端が先鋭となるように形成されており、位置決凹部３５１が位置決ブッシング３５０に対応した形状となっているため、可動側フレーム３０に可動側ユニット３１を突き合わせると、可動側ユニット３１は、自身の重みによって可動側フレーム３０に対して位置決めされる。
【０１１１】
さらに、成型装置１では、固定側フレーム２０内に固定側ユニット２１が収容されるとともに固定側給水部２４０と固定側配水部２４１とが流体的に接続されるため、固定側給水部２４０と固定側配水部２４１との接続に要する時間を抑えることができる。
【０１１２】
しかも、固定側ユニット２１の第一中型Ｍ１の種類に合わせて固定側バックプレート２１１と固定側インサイドプレート２１０との間に予め固定側配水部２４１を組み込むことができるため、第一中型Ｍ１を効率よく冷却できるように固定側配水部２４１を配置しておくことができる。
【０１１３】
一方、可動側配水部３４１は、可動側フレーム３０内に常設されているが、冷却水を噴射する複数のノズルＮが可動側フレーム３０内に均等又は略均等な分布で配置されているため、可動側ユニット３１を交換して第二中型Ｍ２の種類が変わったとしても、効率良く第二中型Ｍ２を冷却することができ、また、可動側配水部３４１を中型に合わせて設置し直す手間を省くこともできる。
【０１１４】
なお、本発明に係る成型装置、及び成型装置の中型交換方法は、上記実施形態に限定されるものではなく、本発明の要旨を逸脱しない範囲内において種々の変更を加え得ることは勿論である。
【０１１５】
上記実施形態において、固定型２は、固定側ユニット２１が固定側フレーム本体２００内に収容されるように構成されていたが、この構成に限定されない。例えば、固定型２は、固定側ユニット２１が固定側フレーム本体２００の前面に取り付けられるように構成されていてもよい。
【０１１６】
上記実施形態において、可動型３は、可動側ユニット３１が可動側フレーム本体３００の前面に取り付けられるように構成されていたが、この構成に限定されない。例えば、可動型３は、可動側ユニット３１が可動側フレーム本体３００内に収容されるように構成されていてもよい。
【０１１７】
上記実施形態において、固定側インサイドプレート２１０には中型としてキャビ型が取り付けられ、可動側インサイドプレート３１０には中型としてコア型が取り付けられていたが、この構成に限定されない。例えば、固定側インサイドプレート２１０には中型としてコア型が取り付けられ、可動側インサイドプレート３１０には中型としてキャビ型が取り付けられていてもよい。
【０１１８】
上記実施形態において、固定側インサイドプレート２１０には、四つの中型が取り付けられていたが、固定側インサイドプレート２１０に取り付けられる中型の数は、特に限定されない。また、上記実施形態において、可動側インサイドプレート３１０には、四つの中型が取り付けられていたが、可動側インサイドプレート３１０に取り付けられる中型の数は、固定側インサイドプレート２１０に取り付けられている中型の数と対応していれば、特に限定されない。
【０１１９】
上記実施形態では、取外工程において、組品４を固定側フレーム２０から取り外した後に可動側フレーム３０から取り外していたが、組品４を可動側フレーム３０から取り外した後に固定側フレーム２０から取り外してもよい。
【０１２０】
但し、上記実施形態のように、固定型２が固定側フレーム２０内に固定側ユニット２１を収容可能に構成されている場合においては、組品４を固定側フレーム２０から取り外した後に可動側フレーム３０から取り外せば、固定側フレーム２０に対する吊上装置Ｗの干渉を防止できるため、第一中型Ｍ１及び第二中型Ｍ２の交換作業を円滑に行うことができる。
【０１２１】
上記実施形態では、取付工程において、交換用組品４を可動側フレーム３０に取り付けた後に固定側フレーム２０に取り付けていたが、例えば、交換用組品４を固定側フレーム２０に取り付けた後に可動側フレーム３０に取り付けてもよい。
【０１２２】
但し、上記実施形態のように、固定型２が固定側フレーム２０内に固定側ユニット２１を収容可能に構成されている場合においては、交換用組品４を可動側フレーム３０に取り付けた後に固定側フレーム２０に取り付けるようにすれば、固定側フレーム２０に対する吊上装置Ｗの干渉を防止できるため、第一中型Ｍ１及び第二中型Ｍ２の交換作業を円滑に行うことができる。
【符号の説明】
【０１２３】
１…成型装置、２…固定型、３…可動型、４…組品（交換用組品）、２０…固定側フレーム（交換用固定側フレーム）、２１…固定側ユニット（交換用固定側ユニット）、２１…固定側ユニット、２１…交換用固定側ユニット、２１…固定側ユニット、２２…固定側ロック構造、２３…固定側蒸気供給部、２４…固定側冷却配管系、２５…固定側位置決部、３０…可動側フレーム、３１…可動側ユニット（交換用可動側ユニット）、３２…可動側ロック構造、３３…可動側蒸気供給部、３４…可動側冷却配管系、３５…位置決構造、３６…可動側位置決部、２００…固定側フレーム本体、２０１…シールプレート、２０１ａ…縦板部、２０１ｂ…横板部、２０２…側壁部、２０２ａ…取付孔、２０３…接続壁部、２１０…固定側インサイドプレート、２１１…固定側バックプレート、２１２…連結部材、２１２ａ…第一連結部材、２１２ｂ…第二連結部材、２１２ｃ…補強リブ、２１３…補強部材、２１４…ガイドパイプ、２１５…抜止部材、２２０…ロック操作部、２２０ａ…ロックピン、２２０ａａ…ピン本体部、２２０ａｂ…頭部、２２０ｂ…ホルダー、２２０ｂａ…ガイドブッシュ、２２０ｂｂ…カバー部、２２０ｂｃ…ガイド筒部、２２０ｂｄ…フランジ部、２２０ｃ…進退操作部、２２０ｃａ…押込ボルト、２２０ｃｂ…ライナー、２２０ｃｃ…薄肉部、２２０ｃｄ…厚肉部、２２１…被ロック部、２２１ａ…突当凹部、２３０…導入孔、２４０…固定側給水部、２４０ａ…固定側用フランジ部、２４０ｂ…給水管、２４０ｃ…開口端、２４１…固定側配水部、２４１ａ…配水管路部、２４１ｂ…ジョイント部、２４１ｃ…傾斜面、２５０…挿込凹部、３００…可動側フレーム本体、３００ａ…縦枠部、３００ｂ…横枠部、３０１…可動側バックプレート、３０２…受板、３０２ａ…噴射孔、３０３…可動側補強部材、３１０…可動側インサイドプレート、３１０ａ…取付孔、３１１…アダプタフレーム、３１１ａ…縦辺部、３１１ｂ…横辺部、３１２…受圧部材、３１３…位置決用固定側部、３２０…連結操作部、３２０ａ…ベース部、３２０ｂ…回転操作部、３２０ｃ…引留部、３２１…被連結部、３２１ａ…嵌込凹部、３３０…導入孔、３４０…可動側給水部、３４０ａ…給水管、３４１…可動側配水部、３４１ａ…配水管路部、３５０…位置決ブッシング、３５１…位置決凹部、３６０…位置決ピン、Ｄ…型締装置、Ｄ１…固定盤、Ｄ２…可動盤、Ｈ…進退孔、Ｌ…長孔、Ｍ１…第一中型（交換用第一中型）、Ｍ２…第二中型（交換用第二中型）、Ｎ…ノズル、ＳＢ…セットボルト、Ｗ…吊上装置、
【図１】
2018086756.tif 000003
【図２】
2018086756.tif 000004
【図３】
2018086756.tif 000005
【図４】
2018086756.tif 000006
【図５】
2018086756.tif 000007
【図６】
2018086756.tif 000008
【図７】
2018086756.tif 000009
【図８】
2018086756.tif 000010
【図９】
2018086756.tif 000011
【図１０】
2018086756.tif 000012
【図１１】
2018086756.tif 000013
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
固定側フレームと、
該固定側フレームに対して接離可能な可動側フレームと、
第一中型を有する固定側ユニットと、
前記固定側フレームに対して前記固定側ユニットを着脱可能とする固定側ロック構造と、
前記第一中型に組み合わされてキャビティを形成する第二中型を有した可動側ユニットと、
前記可動側フレームに対して前記可動側ユニットを着脱可能とする可動側ロック構造とを備え、
前記第一中型及び前記第二中型を組み合せた状態とした前記固定側ユニットと前記可動側ユニットとを一つの組品とした状態で、前記固定側ロック構造が前記固定側ユニット及び前記固定側フレームを固定した状態と前記固定側ユニット及び前記固定側フレームの固定を解除した状態とに切替可能であり、且つ前記可動側ロック構造が前記可動側ユニット及び前記可動側フレームを固定した状態と前記可動側ユニット及び前記可動側フレームの固定を解除した状態とに切替可能であり、
前記固定側ユニットは、前記第一中型を冷却するための冷却水を流通させるための固定側配水部を有することを特徴とする成型装置。
【請求項２】
前記固定側ユニットは、
前記第一中型が取り付けられる固定側インサイドプレートと、
該固定側インサイドプレートと間隔をあけて対向するように配置される固定側バックプレートと、
前記固定側インサイドプレートと前記固定側バックプレートとを連結する連結部材とを備え、
前記固定側配水部は、前記固定側インサイドプレートと前記固定側バックプレートの間に配置されている請求項１又に記載の成型装置。
【請求項３】
前記固定側配水部と、前記固定側フレームに取り付けられる固定側給水部とで構成される固定側冷却配管系を備え、
前記固定側給水部は、前記固定側フレームに貫設される給水管を有し、
前記固定側配水部は、前記固定側給水部の開口端に接続されるジョイント部を有し、
前記固定側給水部には、前記固定側フレームの内側に突出し且つ前記固定側フレームの背面側になるにつれて下方側に向かうように傾斜する開口端が含まれ、
前記ジョイント部には、前記固定側フレームの背面側になるにつれて下方側に向かうように傾斜する傾斜面が含まれ、
前記固定側給水部と前記ジョイント部とは、前記固定側ロック構造により前記固定側ユニットが前記固定側フレームに固定された状態において互いに当接する請求項１又は請求項２の何れか１項に記載の成型装置。
【請求項４】
前記固定側ロック構造は、前記固定側フレームと前記固定側ユニットとを固定した状態と、前記固定側フレームと前記固定側ユニットとの固定を解除した状態とに切り替えるための固定側操作部を有し、
前記可動側ロック構造は、前記可動側フレームと前記可動側ユニットとを固定した状態と、前記可動側フレームと前記可動側ユニットとの固定を解除した状態とに切り替えるための可動側操作部を有し、
前記固定側操作部及び前記可動側操作部は、前記固定側フレームと前記可動側フレームとが接離する方向における前記固定側ユニットと前記可動側ユニットとの間の領域から外れた位置に配置される請求項１乃至請求項３の何れか１項に記載の成型装置。
【請求項５】
請求項１又は請求項２に記載の成型装置の中型交換方法であって、第一中型及び該第一中型を冷却するための冷却水を流通させる固定側配水部を有する固定側ユニットが固定側フレームに固定され、第二中型を有する可動側ユニットが可動側フレームに固定された状態で、前記第一中型に対して前記第二中型が組み合わされるように前記固定側フレームに対して前記可動側フレームを移動させる工程と、
前記第一中型及び前記第二中型を組み合せて前記固定側ユニット及び前記可動側ユニットを組品とした状態で、該組品を前記固定側フレームと前記可動側フレームとから取外す工程と、
前記第一中型とは異なる種類の交換用第一中型を有する交換用固定側ユニット、及び前記第二中型とは異なる種類の交換用第二中型を備えた交換用可動側ユニットどうしを、前記交換用第一中型及び前記交換用第二中型を組み合せた状態として交換用組品を準備する工程と、
前記交換用組品を前記固定側フレームに取り付けて、固定側ロック構造により前記固定側ユニットを前記固定側フレームに固定し、前記交換用組品を前記可動側フレームに取り付けて、可動側ロック構造により前記可動側ユニットを前記可動側フレームに固定する工程とを備える中型交換方法。
【手続補正２】
【補正対象書類名】明細書
【補正対象項目名】０００７
【補正方法】変更
【補正の内容】
【０００７】
本発明の成型装置は、
固定側フレームと、
該固定側フレームに対して接離可能な可動側フレームと、
第一中型を有する固定側ユニットと、
前記固定側フレームに対して前記固定側ユニットを着脱可能とする固定側ロック構造と、
前記第一中型に組み合わされてキャビティを形成する第二中型を有した可動側ユニットと、
前記可動側フレームに対して前記可動側ユニットを着脱可能とする可動側ロック構造とを備え、
前記第一中型及び前記第二中型を組み合せた状態とした前記固定側ユニットと前記可動側ユニットとを一つの組品とした状態で、前記固定側ロック構造が前記固定側ユニット及び前記固定側フレームを固定した状態と前記固定側ユニット及び前記固定側フレームの固定を解除した状態とに切替可能であり、且つ前記可動側ロック構造が前記可動側ユニット及び前記可動側フレームを固定した状態と前記可動側ユニット及び前記可動側フレームの固定を解除した状態とに切替可能であり、
前記固定側ユニットは、前記第一中型を冷却するための冷却水を流通させるための固定側配水部を有することを特徴とする。
【手続補正３】
【補正対象書類名】明細書
【補正対象項目名】００１２
【補正方法】変更
【補正の内容】
【００１２】
本発明の成形装置において、
前記固定側ユニットは、
前記第一中型が取り付けられる固定側インサイドプレートと、
該固定側インサイドプレートと間隔をあけて対向するように配置される固定側バックプレートと、
前記固定側インサイドプレートと前記固定側バックプレートとを連結する連結部材とを備え、
前記固定側配水部は、前記固定側インサイドプレートと前記固定側バックプレートの間に配置されていてもよい。
また、本発明の成形装置は、
前記固定側配水部と、前記固定側フレームに取り付けられる固定側給水部とで構成される固定側冷却配管系を備え、
前記固定側給水部は、前記固定側フレームに貫設される給水管を有し、
前記固定側配水部は、前記固定側給水部の開口端に接続されるジョイント部を有し、
前記固定側給水部には、前記固定側フレームの内側に突出し且つ前記固定側フレームの背面側になるにつれて下方側に向かうように傾斜する開口端が含まれ、
前記ジョイント部には、前記固定側フレームの背面側になるにつれて下方側に向かうように傾斜する傾斜面が含まれ、
前記固定側給水部と前記ジョイント部とは、前記固定側ロック構造により前記固定側ユニットが前記固定側フレームに固定された状態において互いに当接するように構成されていてもよい。
さらに、本発明の成型装置において、
前記固定側ロック構造は、前記固定側フレームと前記固定側ユニットとを固定した状態と、前記固定側フレームと前記固定側ユニットとの固定を解除した状態とに切り替えるための固定側操作部を有し、
前記可動側ロック構造は、前記可動側フレームと前記可動側ユニットとを固定した状態と、前記可動側フレームと前記可動側ユニットとの固定を解除した状態とに切り替えるための可動側操作部を有し、
前記固定側操作部及び前記可動側操作部は、前記固定側フレームと前記可動側フレームとが接離する方向における前記固定側ユニットと前記可動側ユニットとの間の領域から外れた位置に配置されていてもよい。
【手続補正４】
【補正対象書類名】明細書
【補正対象項目名】００１５
【補正方法】変更
【補正の内容】
【００１５】
本発明の成型装置の中型交換方法は、
上記何れかの成型装置の中型交換方法であって、
第一中型及び該第一中型を冷却するための冷却水を流通させる固定側配水部を有する固定側ユニットが固定側フレームに固定され、第二中型を有する可動側ユニットが可動側フレームに固定された状態で、前記第一中型に対して前記第二中型が組み合わされるように前記固定側フレームに対して前記可動側フレームを移動させる工程と、
前記第一中型及び前記第二中型を組み合せて前記固定側ユニット及び前記可動側ユニットを組品とした状態で、該組品を前記固定側フレームと前記可動側フレームとから取外す工程と、
前記第一中型とは異なる種類の交換用第一中型を有する交換用固定側ユニット、及び前記第二中型とは異なる種類の交換用第二中型を備えた交換用可動側ユニットどうしを、前記交換用第一中型及び前記交換用第二中型を組み合せた状態として交換用組品を準備する工程と、
前記交換用組品を前記固定側フレームに取り付けて、固定側ロック構造により前記固定側ユニットを前記固定側フレームに固定し、前記交換用組品を前記可動側フレームに取り付けて、可動側ロック構造により前記可動側ユニットを前記可動側フレームに固定する工程とを備える中型交換方法。
【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
固定側フレームと、
該固定側フレームに対して接離可能な可動側フレームと、
第一中型を有する固定側ユニットと、
前記固定側フレームに対して前記固定側ユニットを着脱可能とする固定側ロック構造と、
前記第一中型に組み合わされてキャビティを形成する第二中型を有した可動側ユニットと、
前記可動側フレームに対して前記可動側ユニットを着脱可能とする可動側ロック構造とを備え、
前記第一中型及び前記第二中型を組み合せた状態とした前記固定側ユニットと前記可動側ユニットとを一つの組品とした状態で、前記固定側ロック構造が前記固定側ユニット及び前記固定側フレームを固定した状態と前記固定側ユニット及び前記固定側フレームの固定を解除した状態とに切替可能であり、且つ前記可動側ロック構造が前記可動側ユニット及び前記可動側フレームを固定した状態と前記可動側ユニット及び前記可動側フレームの固定を解除した状態とに切替可能であり、
前記固定側ユニットは、前記第一中型を冷却するための冷却水を流通させて前記第一中型に該冷却水を噴射するように構成される固定側配水部を有し、
前記固定側フレームは、内部に前記固定側ユニットが収容された状態において該固定側ユニットの前記固定側配水部が流体的に接続される固定側給水部を有することを特徴とする成型装置。
【請求項２】
前記固定側ユニットは、
前記第一中型が取り付けられる固定側インサイドプレートと、
該固定側インサイドプレートと間隔をあけて対向するように配置される固定側バックプレートと、
固定側インサイドプレートと固定側バックプレートとを連結する連結部材とを備え、
前記固定側配水部は、前記固定側インサイドプレートと、前記固定側バックプレートの間に配置されている請求項１又に記載の成型装置。
【請求項３】
前記固定側配水部と前記固定側給水部とで構成される固定側冷却配管系を備え、
前記固定側給水部は、前記固定側フレームに貫設される給水管を有し、
前記固定側配水部は、前記固定側給水部の開口端に接続されるジョイント部を有し、
前記固定側給水部には、前記固定側フレームの内側に突出し且つ記固定側フレームの背面側になるにつれて下方側に向かうように傾斜する開口端が含まれ、
前記ジョイント部には、前記前記固定側フレームの背面側になるにつれて下方側に向かうように傾斜する傾斜面が含まれ、
前記固定側給水部の前記傾斜面と前記ジョイント部の前記傾斜面とは、前記固定側ロック構造により前記固定側ユニットが前記固定側フレームに固定された状態において互いに当接する請求項１又は請求項２の何れか１項に記載の成型装置。
【請求項４】
前記固定側ロック構造は、前記固定側フレームと前記固定側ユニットとを固定した状態と、前記固定側フレームと前記固定側ユニットとの固定を解除した状態とに切り替えるための固定側操作部を有し、
前記可動側ロック構造は、前記可動側フレームと前記可動側ユニットとを固定した状態と、前記可動側フレームと前記可動側ユニットとの固定を解除した状態とに切り替えるための可動側操作部を有し、
前記固定側操作部及び前記可動側操作部は、前記固定側フレームと前記可動側フレームとが接離する方向における前記固定側ユニットと前記可動側ユニットとの間の領域から外れた位置に配置される請求項１乃至請求項３の何れか１項に記載の成型装置。
【請求項５】
請求項１又は請求項２に記載の成型装置の中型交換方法であって、第一中型及び該第一中型を冷却するための冷却水を流通させて前記第一中型に該冷却水を噴射するように構成される固定側配水部を有する固定側ユニットが固定側フレームに固定され、第二中型を有する可動側ユニットが可動側フレームに固定された状態で、前記第一中型に対して前記第二中型が組み合わされるように前記固定側フレームに対して前記可動側フレームを移動させる工程と、
前記第一中型及び前記第二中型を組み合せて前記固定側ユニット及び前記可動側ユニットを組品とした状態で、該組品を前記固定側フレームと前記可動側フレームとから取外す工程と、
前記第一中型とは異なる種類の交換用第一中型を有する交換用固定側ユニット、及び前記第二中型とは異なる種類の交換用第二中型を備えた交換用可動側ユニットどうしを、前記交換用第一中型及び前記交換用第二中型を組み合せた状態として交換用組品を準備する工程と、
前記交換用組品を前記固定側フレームに取り付けて、固定側ロック構造により前記固定側ユニットを前記固定側フレームに固定し、前記交換用組品を前記可動側フレームに取り付けて、可動側ロック構造により前記可動側ユニットを前記可動側フレームに固定する工程とを備え、
前記交換用組品を準備する工程では、前記固定側フレーム内に前記固定側ユニットを収容することにより、前記固定側ユニットの前記固定側配水部と前記固定側フレームの固定側給水部とを流体的に接続する中型交換方法。
【手続補正２】
【補正対象書類名】明細書
【補正対象項目名】０００７
【補正方法】変更
【補正の内容】
【０００７】
本発明の成型装置は、
固定側フレームと、
該固定側フレームに対して接離可能な可動側フレームと、
第一中型を有する固定側ユニットと、
前記固定側フレームに対して前記固定側ユニットを着脱可能とする固定側ロック構造と、
前記第一中型に組み合わされてキャビティを形成する第二中型を有した可動側ユニットと、
前記可動側フレームに対して前記可動側ユニットを着脱可能とする可動側ロック構造とを備え、
前記第一中型及び前記第二中型を組み合せた状態とした前記固定側ユニットと前記可動側ユニットとを一つの組品とした状態で、前記固定側ロック構造が前記固定側ユニット及び前記固定側フレームを固定した状態と前記固定側ユニット及び前記固定側フレームの固定を解除した状態とに切替可能であり、且つ前記可動側ロック構造が前記可動側ユニット及び前記可動側フレームを固定した状態と前記可動側ユニット及び前記可動側フレームの固定を解除した状態とに切替可能であり、
前記固定側ユニットは、前記第一中型を冷却するための冷却水を流通させて前記第一中型に該冷却水を噴射するように構成される固定側配水部を有し、
前記固定側フレームは、内部に前記固定側ユニットが収容されるとともに前記固定側配水部に流体的に接続される固定側給水部を有することを特徴とする。
【手続補正３】
【補正対象書類名】明細書
【補正対象項目名】００１２
【補正方法】変更
【補正の内容】
【００１２】
本発明の成形装置において、
前記固定側ユニットは、
前記第一中型が取り付けられる固定側インサイドプレートと、
該固定側インサイドプレートと間隔をあけて対向するように配置される固定側バックプレートと、
固定側インサイドプレートと固定側バックプレートとを連結する連結部材とを備え、
前記固定側配水部は、前記固定側インサイドプレートと、前記固定側バックプレートの間に配置されていてもよい。
また、本発明の成形装置は、
前記固定側配水部と前記固定側給水部とで構成される固定側冷却配管系を備え、
前記固定側給水部は、前記固定側フレームに貫設される給水管を有し、
前記固定側配水部は、前記固定側給水部の開口端に接続されるジョイント部を有し、
前記固定側給水部には、前記固定側フレームの内側に突出し且つ記固定側フレームの背面側になるにつれて下方側に向かうように傾斜する開口端が含まれ、
前記ジョイント部には、前記前記固定側フレームの背面側になるにつれて下方側に向かうように傾斜する傾斜面が含まれ、
前記固定側給水部の前記傾斜面と前記ジョイント部の前記傾斜面とは、前記固定側ロック構造により前記固定側ユニットが前記固定側フレームに固定された状態において互いに当接していてもよい。
さらに、本発明の成型装置において、
前記固定側ロック構造は、前記固定側フレームと前記固定側ユニットとを固定した状態と、前記固定側フレームと前記固定側ユニットとの固定を解除した状態とに切り替えるための固定側操作部を有し、
前記可動側ロック構造は、前記可動側フレームと前記可動側ユニットとを固定した状態と、前記可動側フレームと前記可動側ユニットとの固定を解除した状態とに切り替えるための可動側操作部を有し、
前記固定側操作部及び前記可動側操作部は、前記固定側フレームと前記可動側フレームとが接離する方向における前記固定側ユニットと前記可動側ユニットとの間の領域から外れた位置に配置されていてもよい。
【手続補正４】
【補正対象書類名】明細書
【補正対象項目名】００１５
【補正方法】変更
【補正の内容】
【００１５】
本発明の成型装置の中型交換方法は、
上記何れかの成型装置の中型交換方法であって、
第一中型及び該第一中型を冷却するための冷却水を流通させて前記第一中型に該冷却水を噴射するように構成される固定側配水部を有する固定側ユニットが固定側フレームに固定され、第二中型を有する可動側ユニットが可動側フレームに固定された状態で、前記第一中型に対して前記第二中型が組み合わされるように前記固定側フレームに対して前記可動側フレームを移動させる工程と、
前記第一中型及び前記第二中型を組み合せて前記固定側ユニット及び前記可動側ユニットを組品とした状態で、該組品を前記固定側フレームと前記可動側フレームとから取外す工程と、
前記第一中型とは異なる種類の交換用第一中型を有する交換用固定側ユニット、及び前記第二中型とは異なる種類の交換用第二中型を備えた交換用可動側ユニットどうしを、前記交換用第一中型及び前記交換用第二中型を組み合せた状態として交換用組品を準備する工程と、
前記交換用組品を前記固定側フレームに取り付けて、固定側ロック構造により前記固定側ユニットを前記固定側フレームに固定し、前記交換用組品を前記可動側フレームに取り付けて、可動側ロック構造により前記可動側ユニットを前記可動側フレームに固定する工程とを備え、
前記交換用組品を準備する工程では、前記固定側フレーム内に前記固定側ユニットを収容するとともに、前記固定側ユニットの前記固定側配水部を前記固定側フレームの固定側給水部に流体的に接続する。